【手続補正書】
【提出日】平成17年10月12日(2005.10.12)
【手続補正１】
【補正対象書類名】明細書
【補正対象項目名】特許請求の範囲
【補正方法】変更
【補正の内容】
【特許請求の範囲】
【請求項１】  生固体を含有する汚物を処理するための安定化石灰スラリー組成物であって、
（ａ）水和石灰を乾燥重量基準で実質的に２０％から４０％の範囲の量で含み、
（ｂ）水酸化カリウムを乾燥重量基準で実質的に５％から１８％の範囲の量で含み、
かつ
（ｃ）水を実質的に４２重量％から７５重量％の範囲の量で含む、
組成物。
【請求項２】  塩化カリウムを乾燥重量基準で実質的に０％から１０％の範囲の量で更に含む請求項１記載の組成物。
【請求項３】  塩化カリウムが実質的に２％から４％の範囲である請求項２記載の組成物。
【請求項４】  水酸化マグネシウムを乾燥重量基準で実質的に０％から１０％の範囲の量で更に含む請求項２記載の組成物。
【請求項５】  水酸化マグネシウムが実質的に２％から４％の範囲内である請求項４記載の組成物。
【請求項６】  塩化カリウムが実質的に２％から４％の範囲である請求項５記載の組成物。
【請求項７】  水酸化カリウムが実質的に１０％から１６％の範囲内である請求項２、３、４、５または６記載の組成物。
【請求項８】  水酸化カルシウムが実質的に３０％から３６％の範囲である請求項４、５または６記載の組成物。
【請求項９】  水が実質的に４８重量％から５６重量％の範囲である請求項１、２、３、４、５または６記載の組成物。
【請求項１０】  水酸化カリウムと水酸化カルシウムの比率が少なくとも実質的に１：８である請求項１、２、３、４、５または６記載の組成物。
【請求項１１】  水酸化カリウムと水酸化カルシウムの比率が実質的に１：１未満である請求項１０記載の組成物。
【請求項１２】  安定化石灰スラリー混合物の製造方法であって、
（ａ）該安定化石灰スラリー混合物中の水酸化カリウム成分の量が乾燥重量基準で５％から１８％になるに充分なカリウム量の水酸化カリウムと水を一緒にして混合し水酸化カリウムの水溶液を生じさせ、
（ｂ）該溶液に、水酸化カルシウム、塩化カリウムおよび水酸化マグネシウムを、撹拌間隔で分離された少なくとも２回の間隔を置いた段階で、各段階で該水酸化カルシウム、該塩化カリウムおよび該水酸化マグネシウムの各々の一部を該溶液の中に混合するが各段階の塩化カリウムの混合を各段階の水酸化カルシウムの混合と同時よりも早い時期に行わないようにして、該段階全体の水酸化カルシウムの総量が該安定化石灰スラリー中の水酸化カルシウム成分が乾燥重量基準で実質的に２０％から４０％の範囲になるに充分でありかつ該段階全体の塩化カリウムおよび水酸化マグネシウムの総量が各々該安定化石灰スラリー中の塩化カリウムおよび水酸化マグネシウム成分が乾燥重量基準で０％より多いが実質的に１０％を越えないに充分であるように混合して撹拌する、
ことを含む方法。
【請求項１３】  上記段階が少なくとも３段階である請求項１２記載の方法。
【請求項１４】  上記段階が少なくとも４段階である請求項１３記載の方法。
【請求項１５】  上記段階と段階の間の撹拌を少なくとも実質的に１０分間実施する請求項１２、１３または１４記載の方法。
【請求項１６】  該水酸化カルシウム、塩化カリウムおよび水酸化マグネシウムを該溶液の中に各段階で実質的に等しい量で混合する請求項１２、１３または１４記載の方法。
【請求項１７】  上記段階と段階の間の撹拌を少なくとも実質的に１０分間実施する請求項１６記載の方法。
【手続補正２】
【補正対象書類名】明細書
【補正対象項目名】００５９
【補正方法】変更
【補正の内容】
【００５９】
本発明の好適な特定態様を詳細に開示してきたが、本発明の精神からも本請求項の範囲からも逸脱しない限りいろいろな修飾を採用することができると理解されるべきである。
本発明の好適な実施態様は次のとおりである。
１．  生固体を含有する汚物を処理するための安定化石灰スラリー組成物であって、
（ａ）水和石灰、
（ｂ）水酸化カリウム、および
（ｃ）水、
を含んで成る組成物。
２．  塩化カリウムを更に含んで成る上記１記載の組成物。
３．  水酸化マグネシウムを更に含んで成る上記２記載の組成物。
４．  水酸化マグネシウムを更に含んで成る上記１記載の組成物。
５．  生固体を含有する汚物を処理するための安定化石灰スラリー組成物であって、
（ａ）水和石灰を乾燥重量基準で実質的に２０％から４０％の範囲の量で含み、
（ｂ）水酸化カリウムを乾燥重量基準で実質的に５％から１８％の範囲の量で含み、
かつ
（ｃ）水を実質的に４２重量％から７５重量％の範囲の量で含む、
組成物。
６．  塩化カリウムを乾燥重量基準で実質的に０％から１０％の範囲の量で更に含む上記５記載の組成物。
７．  塩化カリウムが実質的に２％から４％の範囲である上記６記載の組成物。
８．  水酸化マグネシウムを乾燥重量基準で実質的に０％から１０％の範囲の量で更に含む上記６記載の組成物。
９．  水酸化マグネシウムが実質的に２％から４％の範囲内である上記８記載の組成物。
１０．  塩化カリウムが実質的に２％から４％の範囲である上記９記載の組成物。
１１．  水酸化カリウムが実質的に１０％から１６％の範囲内である上記６、７、８、９または１０記載の組成物。
１２．  水酸化カルシウムが実質的に３０％から３６％の範囲である上記８、９または１０記載の組成物。
１３．  水が実質的に４８重量％から５６重量％の範囲である上記５、６、７、８、９または１０記載の組成物。
１４．  水酸化カリウムと水酸化カルシウムの比率が少なくとも実質的に１：８である上記５、６、７、８、９または１０記載の組成物。
１５．  水酸化カリウムと水酸化カルシウムの比率が実質的に１：１未満である上記１４記載の組成物。
１６．  安定化石灰スラリー混合物の製造方法であって、
（ａ）該安定化石灰スラリー混合物中の水酸化カリウム成分の量が乾燥重量基準で５％から１８％になるに充分なカリウム量の水酸化カリウムと水を一緒にして水酸化カリウムの水溶液を生じさせ、
（ｂ）該溶液に、水酸化カルシウム、塩化カリウムおよび水酸化マグネシウムを、撹拌間隔で分離された少なくとも２回の間隔を置いた段階で、各段階で該水酸化カルシウム、該塩化カリウムおよび該水酸化マグネシウムの各々の一部を該溶液の中に混合するが各段階の塩化カリウムの混合を各段階の水酸化カルシウムの混合と同時よりも早い時期に行わないようにして、該段階全体の水酸化カルシウムの総量が該安定化石灰スラリー中の水酸化カルシウム成分が乾燥重量基準で実質的に２０％から４０％の範囲になるに充分でありかつ該段階全体の塩化カリウムおよび水酸化マグネシウムの総量が各々該安定化石灰スラリー中の塩化カリウムおよび水酸化マグネシウム成分が乾燥重量基準で０％より多いが実質的に１０％を越えないに充分であるように混合して撹拌する、
ことを含む方法。
１７．  上記段階が少なくとも３段階である上記１６記載の方法。
１８．  上記段階が少なくとも４段階である上記１７記載の方法。
１９．  上記段階と段階の間の撹拌を少なくとも実質的に１０分間実施する上記１６、１７または１８記載の方法。
２０．  該水酸化カルシウム、塩化カリウムおよび水酸化マグネシウムを該溶液の中に各段階で実質的に等しい量で混合する上記１６、１７または１８記載の方法。
２１．  上記段階と段階の間の撹拌を少なくとも実質的に１０分間実施する上記２０記載の方法。